(57)【要約】【課題】誤動作を防ぎつつ使用者の手間を省き、さらに無駄な電力消費を避ける眼鏡型ディスプレイの制御方法を提供する。【解決手段】サイドフレーム部１０４を開くと、開閉探知センサー１０７が反応し、眼鏡型ディスプレイ１０１をかけて、ノーズパッド部とサイドフレーム部が顔及び頭部に接触すると、センサー１０９〜１１１が反応し、画面表示がＯＮになることにより、使用者の操作の手間を省く。また、振動などにより一部のセンサーの反応がなくなっても画面をすぐにＯＦＦにせず、画面を表示したまま、一定時間経過後にＯＦＦにするといった猶予を設け、誤って画面を消す誤動作を防ぐ。さらに、サイドフレーム部１０４を閉じると、開閉探知センサー１０７・１０８が反応停止し、自動的に画面表示をＯＦＦにすることも行い、無駄に電力を消費することを防ぐ。【選択図】        図１
2004180162.tif 000002
【特許請求の範囲】
【請求項１】
眼鏡フレームの開閉状態を検知する開閉探知手段と、眼鏡の着脱状態を検知する着脱状態検知手段と、映像を表示する画面表示手段と、音声を出力する音声出力手段と、音声を入力する音声入力手段と、一定時間を測定するタイマーを有する眼鏡型ディスプレイの制御方法であって、
電源投入時に、前記開閉探知手段は起動状態であり、前記着脱状態検知手段、前記画面表示手段、前記音声出力手段、前記音声入力手段、前記タイマーは停止状態である第１工程と、
前記第１工程において、前記開閉探知手段が前記眼鏡フレームの開状態を検知するとき、前記着脱状態検知手段は起動状態であり、前記画面表示手段、前記音声出力手段、前記音声入力手段、前記タイマーは停止状態である第２工程と、
前記第２工程において、使用者が眼鏡を装着し、前記着脱状態検知手段が使用者の装着状態を検出し、所定の表示条件を満たすものと判断されたとき、前記画面表示手段、前記音声出力手段、前記音声入力手段は起動状態であり、前記タイマーは停止状態である第３工程と、
前記第３工程において、前記表示条件を満たさないときには、前記タイマーが起動状態である第４工程とを有することを特徴とする眼鏡型ディスプレイの制御方法。
【請求項２】
前記第４工程において、前記タイマーが一定時間を測定し終える前に前記表示条件が満たされたとき、前記第３工程に遷移することを特徴とする請求項１に記載の眼鏡型ディスプレイの制御方法。
【請求項３】
前記第４工程において、前記タイマーが一定時間を測定し終えたが前記表示条件が満たされないとき、前記第２工程に遷移することを特徴とする請求項１に記載の眼鏡型ディスプレイの制御方法。
【請求項４】
前記第２工程において、前記開閉探知手段が前記眼鏡フレームの閉状態を検知するとき、前記第１工程に遷移することを特徴とする請求項１に記載の眼鏡型ディスプレイの制御方法。
【請求項５】
前記第３工程において、前記開閉探知手段が前記眼鏡フレームの閉状態を検知するとき、前記第１工程に遷移することを特徴とする請求項１に記載の眼鏡型ディスプレイの制御方法。
【請求項６】
前記第４工程において、前記開閉探知手段が前記眼鏡フレームの閉状態を検知するとき、前記第１工程に遷移することを特徴とする請求項１に記載の眼鏡型ディスプレイの制御方法。
【請求項７】
前記タイマーは前記第２工程において起動状態であり、前記タイマーが一定時間を測定し終えることにより、前記表示条件が満たされるものとし、前記画面表示手段、前記音声出力手段、前記音声入力手段を起動状態にすることを特徴とする請求項１に記載の眼鏡型ディスプレイの制御方法。
【請求項８】
前記タイマーは前記第３工程において起動状態であり、前記タイマーが一定時間を測定し終えることにより、前記画面表示手段、前記音声出力手段、前記音声入力手段を停止状態にすることを特徴とする請求項１に記載の眼鏡型ディスプレイの制御方法。
【請求項９】
前記眼鏡型ディスプレイは、移動携帯端末と通信可能状態であって、前記移動携帯端末が着信することにより前記表示条件が満たされるものとし、前記画面表示手段、前記音声出力手段、前記音声入力手段を起動状態にすることを特徴とする請求項１から８の何れか１項に記載の眼鏡型ディスプレイの制御方法。
【請求項１０】
前記眼鏡型ディスプレイは、移動携帯端末と通信可能状態であって、前記移動携帯端末が着信終了することにより前記画面表示手段、前記音声出力手段、前記音声入力手段を停止状態にすることを特徴とする請求項１から８の何れか１項に記載の眼鏡型ディスプレイの制御方法。
【請求項１１】
前記眼鏡型ディスプレイは、移動携帯端末と通信可能状態であって、前記移動携帯端末が電子メールを受信することにより前記表示条件が満たされるものとし、前記画面表示手段、前記音声出力手段、前記音声入力手段を起動状態にすることを特徴とする請求項１から８の何れか１項に記載の眼鏡型ディスプレイの制御方法。
【請求項１２】
前記眼鏡型ディスプレイは、移動携帯端末と通信可能状態であって、前記移動携帯端末が基地局のカバーエリア圏内に入ることにより前記表示条件が満たされるものとし、前記画面表示手段、前記音声出力手段、前記音声入力手段を起動状態にすることを特徴とする請求項１から８の何れか１項に記載の眼鏡型ディスプレイの制御方法。
【請求項１３】
前記眼鏡型ディスプレイは、移動携帯端末と通信可能状態であって、前記移動携帯端末は使用者が喋る所定の言葉を認識することにより前記表示条件が満たされるものとし、前記画面表示手段、前記音声出力手段、前記音声入力手段を起動状態にすることを特徴とする請求項１から８の何れか１項に記載の眼鏡型ディスプレイの制御方法。
【請求項１４】
前記眼鏡型ディスプレイは、移動携帯端末と通信可能状態であって、前記移動携帯端末は使用者が喋る所定の言葉を認識することにより前記画面表示手段、前記音声出力手段、前記音声入力手段を停止状態にすることを特徴とする請求項１から８の何れか１項に記載の眼鏡型ディスプレイの制御方法。
【請求項１５】
前記眼鏡型ディスプレイは、外部からの情報を直接受信する外部情報受信手段を有する情報端末と通信可能状態であって、前記眼鏡型ディスプレイは前記情報端末から所定の信号を受信することにより前記表示条件が満たされるものとし、前記画面表示手段、前記音声出力手段、前記音声入力手段を起動状態にすることを特徴とする請求項１から８の何れか１項に記載の眼鏡型ディスプレイの制御方法。
【請求項１６】
前記眼鏡型ディスプレイは、外部からの情報を直接受信する外部情報受信手段を有する情報端末と通信可能状態であって、前記眼鏡型ディスプレイは前記情報端末から所定の信号を受信することにより前記画面表示手段、前記音声出力手段、前記音声入力手段を停止状態にすることを特徴とする請求項１から８の何れか１項に記載の眼鏡型ディスプレイの制御方法。
【請求項１７】
前記眼鏡型ディスプレイは、外部からの情報を直接受信する外部情報受信手段を有する音楽・映像機器と通信可能状態であって、前記眼鏡型ディスプレイは前記音楽・映像機器から所定の信号を受信することにより前記表示条件が満たされるものとし、前記画面表示手段、前記音声出力手段、前記音声入力手段を起動状態にすることを特徴とする請求項１から８の何れか１項に記載の眼鏡型ディスプレイの制御方法。
【請求項１８】
前記眼鏡型ディスプレイは、外部からの情報を直接受信する外部情報受信手段を有する音楽・映像機器と通信可能状態であって、前記眼鏡型ディスプレイは前記音楽・映像機器から所定の信号を受信することにより前記画面表示手段、前記音声出力手段、前記音声入力手段を停止状態にすることを特徴とする請求項１から８の何れか１項に記載の眼鏡型ディスプレイの制御方法。
【請求項１９】
前記眼鏡型ディスプレイ自身が前記外部情報受信手段を有することを特徴とする請求項９から１８の何れか１項に記載の眼鏡型ディスプレイの制御方法。
【発明の詳細な説明】
【０００１】
【発明の属する技術分野】
本発明はＡＶ機器や情報通信機器に用いられる眼鏡型ディスプレイの制御方法に関するものであり、とくに誤動作を防止した上で、利用者の操作の手間を減らし、無駄な電力消費を低減する眼鏡型ディスプレイの制御方法に関するものである。
【０００２】
【従来の技術】
昨今、携帯電話端末における液晶画面の大画面・高画質化に関する進歩は目覚しいものがある。２．２インチ、６万画素以上の液晶を備えたものも珍しくない。さらにこれに加えて、背面などにもう一つ小型の液晶画面を備えたものも見られるようになってきている。しかし、一方で携帯電話という点から小型化に関する要求もあり、これ以上の大画面・高画質化を実施するのは難しい状況になってきている。
【０００３】
そこで注目されているのが、眼鏡型ディスプレイである。現在、眼鏡型ディスプレイは主にＡＶ機器向けに既に市販されている。しかし、これらはまだ、携帯電話のディスプレイ向けには大きく、また外部に対する視界を完全に遮断してしまうため携帯電話でのディスプレイとしてすぐに利用するのは難しいといえるが、技術的進歩により小型化及び画面表示をしつつ外部に対する視界を確保することができれば、今までとは比較にならないくらいの大画面・高画質映像を携帯電話端末において実現することができるといえる。
【０００４】
ただし、眼鏡型ディスプレイを携帯電話端末において用いるためには、小型化や視界確保以外にも解決すべきことがある。それは利便性であり、消費電力である。例えば、眼鏡型ディスプレイを鞄の中などにしまいこんでしまっているときに電話がかかってきた時、一刻も早く眼鏡型ディスプレイを取り出して目にかける必要があるが、そのときにいろいろスイッチを押したりしていたら、かかってきた電話が切れてしまうことがあるかもしれない。また、それを避けるために常に画面表示をするなどして、フル起動させてしまったりすると、すぐにバッテリー切れを起こしてしまうことが考えられる。利便性に関しては通話相手との兼ね合いを含み、素早い応対が求められる携帯電話端末特有の問題があり、その点を克服する技術は現在のところ見られない。しかし、ＡＶ機器用に開発された眼鏡型ディスプレイにおいて、消費電力の問題を鑑みた技術が存在する。
【０００５】
例えば、特許文献１に記載の技術は、ＡＶ機器の遠隔操作を行うための遠隔操作装置に関するもので、眼鏡型ビューワをヘッド装着して映像を鑑賞する際に長時間使用することからくる疲労を解消するため、モニタに一定時間経過したら自動的に電源をＯＦＦにするような内容を表示し、その時間が来たら電源をＯＦＦにするというものである。この機能は長時間画面が表示されたまま電力を消費してしまうといった事態にも対応できる。
【０００６】
また、特許文献２に記載の技術は、使用者の未使用状態を検出する眼鏡型ディスプレイの電源オンオフ装置に関するものであり、眼球の反射光を検知する装置構成をとっており、まばたき程度の間隔で所定の量の反射光を検出できなくても画面表示をＯＦＦにすることはないが、居眠りなどして長時間反射光を検出できないときには自動的に電源をＯＦＦにするといった時間間隔で制御することにより消費電力を抑えているものである。
【０００７】
また、特許文献３に記載の技術は、小型眼鏡型ディスプレイ装置に関するものであり、その眼鏡の鼻当てに着脱状況を検出する圧力センサーを取り付けており、使用者が眼鏡を装着するときだけ圧力センサーがトリガとなって働き画面表示を行い、眼鏡を外したときには画面表示をＯＦＦにするといった方法で消費電力を抑えている。
【０００８】
【特許文献１】
特開２００２−１２５１３７号公報
【特許文献２】
特開平５−４９１６５号公報
【特許文献３】
特開平６−２９２１０４号公報
【０００９】
【発明が解決しようとする課題】
しかし、移動携帯端末に眼鏡型ディスプレイを取り入れるシステムに対してはＡＶ機器のそれよりも装置規模が小さくなってしまうのでバッテリー切れを起こしてしまう可能性が高くなり、上記に取り上げた技術をそのまま取り入れても消費電力の問題を解消することはできないと思われる。その上ＡＶ機器向けに発明されたとはいえ、特許文献１、２に記載の技術は装置構成が複雑過ぎて、先述した移動携帯端末特有の利便性において不向きである。
【００１０】
その点特許文献３の技術は、着脱状況を判断する圧力センサーを取り付けただけといった、割と簡易な構成で消費電力の低減を可能にしたものであり、本発明の考えに近いものであるが、この構成では眼鏡の装着状態がきちんとしていることが要求される。つまり、装着時に圧力センサーがきちんと反応していることが条件となる。したがって屋外で使用しているときに歩行時の振動などによりセンサーの接触がずれていたら、画面表示させておきたいときもセンサーの反応がないので表示をオフにしてしまうといった誤動作を招く可能性がある。一時的なセンサーの接触ずれを引き起こしても画面をすぐにＯＦＦにしないようにするといった配慮が必要になる。
【００１１】
そこで本発明では、誤動作を防ぎながら、眼鏡型ディスプレイ利用者の操作の手間を減らし、また、無駄な電力消費を低減することを目的とする。具体的には各請求項毎に以下の内容を目的として取り上げる。
【００１２】
請求項１に係る発明では、眼鏡の装着という行為だけで画面表示をＯＮにすることを可能にし、眼鏡の装着時のみ画面表示をＯＮにすることで消費電力を低減することを可能にする眼鏡型ディスプレイの制御方法を提供することを目的とする。
【００１３】
請求項２に係る発明では、眼鏡装着の一時的な位置ずれによりすぐに画面表示をＯＦＦにするような誤動作を防ぐことを可能にする眼鏡型ディスプレイの制御方法を提供することを目的とする。
【００１４】
請求項３に係る発明では、使用者が眼鏡を意図的に外したと判断することを可能にする眼鏡型ディスプレイの制御方法を提供することを目的とする。
【００１５】
請求項４に係る発明では、使用者が意図的に画面表示をＯＦＦにすることを可能にする眼鏡型ディスプレイの制御方法を提供することを目的とする。
【００１６】
請求項５に係る発明では、使用者が意図的に画面表示をＯＦＦにすることを可能にする眼鏡型ディスプレイの制御方法を提供することを目的とする。
【００１７】
請求項６に係る発明では、使用者が意図的に画面表示をＯＦＦにすることを可能にする眼鏡型ディスプレイの制御方法を提供することを目的とする。
【００１８】
請求項７に係る発明では、画面表示をどのタイミングでもＯＮにすることを可能にする眼鏡型ディスプレイの制御方法を提供することを目的とする。
【００１９】
請求項８に係る発明では、画面表示をどのタイミングでもＯＦＦにすることを可能にし、また長時間使用による使用者への疲労負担を軽減することを可能にする眼鏡型ディスプレイの制御方法を提供することを目的とする。
【００２０】
請求項９に係る発明では、移動携帯端末を利用した眼鏡型ディスプレイに関し、使用者に余計な手間をかけることなく着信に迅速に対応し、画面表示をＯＮにすることを可能にする眼鏡型ディスプレイの制御方法を提供することを目的とする。
【００２１】
請求項１０に係る発明では、移動携帯端末を利用した眼鏡型ディスプレイに関し、使用者が眼鏡フレームをたたむことで意図的に通話を終了し、画面表示をＯＦＦにすることを可能にする眼鏡型ディスプレイの制御方法を提供することを目的とする。
【００２２】
請求項１１に係る発明では、移動携帯端末を利用した眼鏡型ディスプレイに関し、使用者に余計な手間をかけることなく画面表示をＯＮにすることを可能にする眼鏡型ディスプレイの制御方法を提供することを目的とする。
【００２３】
請求項１２に係る発明では、移動携帯端末を利用した眼鏡型ディスプレイに関し、使用者に余計な手間をかけることなく画面表示をＯＮにすることを可能にする眼鏡型ディスプレイの制御方法を提供することを目的とする。
【００２４】
請求項１３に係る発明では、移動携帯端末を利用した眼鏡型ディスプレイに関し、使用者に余計な手間をかけることなく画面表示をＯＮにすることを可能にする眼鏡型ディスプレイの制御方法を提供することを目的とする。
【００２５】
請求項１４に係る発明では、移動携帯端末を利用した眼鏡型ディスプレイに関し、使用者に余計な手間をかけることなく画面表示をＯＦＦにすることを可能にする眼鏡型ディスプレイの制御方法を提供することを目的とする。
【００２６】
請求項１５に係る発明では、外部からの情報を直接受信する情報端末を利用した眼鏡型ディスプレイに関し、使用者に余計な手間をかけることなく画面表示をＯＮにすることを可能にする眼鏡型ディスプレイの制御方法を提供することを目的とする。
【００２７】
請求項１６に係る発明では、外部からの情報を直接受信する情報端末を利用した眼鏡型ディスプレイに関し、使用者に余計な手間をかけることなく画面表示をＯＦＦにすることを可能にする眼鏡型ディスプレイの制御方法を提供することを目的とする。
【００２８】
請求項１７に係る発明では、外部からの情報を直接受信する音楽・映像機器を利用した眼鏡型ディスプレイに関し、使用者に余計な手間をかけることなく画面表示をＯＮにすることを可能にする眼鏡型ディスプレイの制御方法を提供することを目的とする。
【００２９】
請求項１８に係る発明では、外部からの情報を直接受信する音楽・映像機器を利用した眼鏡型ディスプレイに関し、使用者に余計な手間をかけることなく画面表示をＯＦＦにすることを可能にする眼鏡型ディスプレイの制御方法を提供することを目的とする。
【００３０】
請求項１９に係る発明では、眼鏡型ディスプレイを利用した、より簡易な移動携帯端末システム、情報端末システム及び音楽・映像機器システムを構成することを可能にする眼鏡型ディスプレイの制御方法を提供することを目的とする。
【００３１】
【課題を解決するための手段】
かかる目的を解決するため、請求項１に記載の発明は、眼鏡フレームの開閉状態を検知する開閉探知手段と、眼鏡の着脱状態を検知する着脱状態検知手段と、映像を表示する画面表示手段と、音声を出力する音声出力手段と、音声を入力する音声入力手段と、一定時間を測定するタイマーを有する眼鏡型ディスプレイの制御方法であって、電源投入時に、開閉探知手段は起動状態であり、着脱状態検知手段、画面表示手段、音声出力手段、音声入力手段、タイマーは停止状態である第１工程と、第１工程において、開閉探知手段が眼鏡フレームの開状態を検知するとき、着脱状態検知手段は起動状態であり、画面表示手段、音声出力手段、音声入力手段、タイマーは停止状態である第２工程と、第２工程において、使用者が眼鏡を装着し、着脱状態検知手段が使用者の装着状態を検出し、所定の表示条件を満たすものと判断されたとき、画面表示手段、音声出力手段、音声入力手段は起動状態であり、タイマーは停止状態である第３工程と、第３工程において、表示条件を満たさないときには、タイマーが起動状態である第４工程とを有することを特徴とする。
【００３２】
請求項２に記載の発明は、請求項１に記載の発明において、第４工程において、タイマーが一定時間を測定し終える前に表示条件が満たされたとき、第３工程に遷移することを特徴とする。
【００３３】
請求項３に記載の発明は、請求項１に記載の発明において、第４工程において、タイマーが一定時間を測定し終えたが表示条件が満たされないとき、第２工程に遷移することを特徴とする。
【００３４】
請求項４に記載の発明は、請求項１に記載の発明において、第２工程において、開閉探知手段が眼鏡フレームの閉状態を検知するとき、第１工程に遷移することを特徴とする。
【００３５】
請求項５に記載の発明は、請求項１に記載の発明において、第３工程において、開閉探知手段が眼鏡フレームの閉状態を検知するとき、第１工程に遷移することを特徴とする。
【００３６】
請求項６に記載の発明は、請求項１に記載の発明において、第４工程において、開閉探知手段が眼鏡フレームの閉状態を検知するとき、第１工程に遷移することを特徴とする。
【００３７】
請求項７に記載の発明は、請求項１に記載の発明において、タイマーは第２工程において起動状態であり、タイマーが一定時間を測定し終えることにより、表示条件が満たされるものとし、画面表示手段、音声出力手段、音声入力手段を起動状態にすることを特徴とする。
【００３８】
請求項８に記載の発明は、請求項１に記載の発明において、タイマーは第３工程において起動状態であり、タイマーが一定時間を測定し終えることにより、画面表示手段、音声出力手段、音声入力手段を停止状態にすることを特徴とする。
【００３９】
請求項９に記載の発明は、請求項１から８の何れか１項に記載の発明において、眼鏡型ディスプレイは、移動携帯端末と通信可能状態であって、移動携帯端末が着信することにより表示条件が満たされるものとし、画面表示手段、音声出力手段、音声入力手段を起動状態にすることを特徴とする。
【００４０】
請求項１０に記載の発明は、請求項１から８の何れか１項に記載の発明において、眼鏡型ディスプレイは、移動携帯端末と通信可能状態であって、移動携帯端末が着信終了することにより画面表示手段、音声出力手段、音声入力手段を停止状態にすることを特徴とする。
【００４１】
請求項１１に記載の発明は、請求項１から８の何れか１項に記載の発明において、眼鏡型ディスプレイは、移動携帯端末と通信可能状態であって、移動携帯端末が電子メールを受信することにより表示条件が満たされるものとし、画面表示手段、音声出力手段、音声入力手段を起動状態にすることを特徴とする。
【００４２】
請求項１２に記載の発明は、請求項１から８の何れか１項に記載の発明において、眼鏡型ディスプレイは、移動携帯端末と通信可能状態であって、移動携帯端末が基地局のカバーエリア圏内に入ることにより表示条件が満たされるものとし、画面表示手段、音声出力手段、音声入力手段を起動状態にすることを特徴とする。
【００４３】
請求項１３に記載の発明は、請求項１から８の何れか１項に記載の発明において、眼鏡型ディスプレイは、移動携帯端末と通信可能状態であって、移動携帯端末は使用者が喋る所定の言葉を認識することにより表示条件が満たされるものとし、画面表示手段、音声出力手段、音声入力手段を起動状態にすることを特徴とする。
【００４４】
請求項１４に記載の発明は、請求項１から８の何れか１項に記載の発明において、眼鏡型ディスプレイは、移動携帯端末と通信可能状態であって、移動携帯端末は使用者が喋る所定の言葉を認識することにより画面表示手段、音声出力手段、音声入力手段を停止状態にすることを特徴とする。
【００４５】
請求項１５に記載の発明は、請求項１から８の何れか１項に記載の発明において、眼鏡型ディスプレイは、外部からの情報を直接受信する外部情報受信手段を有する情報端末と通信可能状態であって、眼鏡型ディスプレイは情報端末から所定の信号を受信することにより表示条件が満たされるものとし、画面表示手段、音声出力手段、音声入力手段を起動状態にすることを特徴とする。
【００４６】
請求項１６に記載の発明は、請求項１から８の何れか１項に記載の発明において、眼鏡型ディスプレイは、外部からの情報を直接受信する外部情報受信手段を有する情報端末と通信可能状態であって、眼鏡型ディスプレイは情報端末から所定の信号を受信することにより画面表示手段、音声出力手段、音声入力手段を停止状態にすることを特徴とする。
【００４７】
請求項１７に記載の発明は、請求項１から８の何れか１項に記載の発明において、眼鏡型ディスプレイは、外部からの情報を直接受信する外部情報受信手段を有する音楽・映像機器と通信可能状態であって、眼鏡型ディスプレイは音楽・映像機器から所定の信号を受信することにより表示条件が満たされるものとし、画面表示手段、音声出力手段、音声入力手段を起動状態にすることを特徴とする。
【００４８】
請求項１８に記載の発明は、請求項１から８の何れか１項に記載の発明において、眼鏡型ディスプレイは、外部からの情報を直接受信する外部情報受信手段を有する音楽・映像機器と通信可能状態であって、眼鏡型ディスプレイは音楽・映像機器から所定の信号を受信することにより画面表示手段、音声出力手段、音声入力手段を停止状態にすることを特徴とする。
【００４９】
請求項１９に記載の発明は、請求項９から１８の何れか１項に記載の発明において、眼鏡型ディスプレイ自身が外部情報受信手段を有することを特徴とする。
【００５０】
【発明の実施の形態】
以下、本発明の実施の形態を図面を参照しながら説明する。
【００５１】
（第１の実施例）
図１は、本発明の第１の実施例の概要図を示したものである。図１に示す実施例は、眼鏡型ディスプレイ１０１及び携帯電話用ユニット１０６で構成される携帯電話システムに本発明の制御方法を適用した例である。
【００５２】
本実施例で提案する眼鏡型ディスプレイ１０１は大きく４つに分かれ、映像を表示するレンズ部１０２、音声映像入出力制御部を内包するフレーム部１０３、操作ボタン・電源・外部入出力制御部・中央制御部・スピーカー部を内包するサイドフレーム部１０４、音声を収集するマイク部１０５からなる。また、本実施例は携帯電話システムということで、レンズ部１０２は半透過型のディスプレイを想定し、映像やメニュー画面と一緒に外部の様子も見られるものとする。
【００５３】
さらに、眼鏡型ディスプレイ１０１とは別に携帯電話用ユニット１０６を用意する。この携帯電話用ユニット１０６では、ボタン入力機能、カメラ機能、対携帯電話基地局通信機能、対眼鏡型ディスプレイ通信機能などを持つ。眼鏡型ディスプレイ１０１と携帯電話用ユニット１０６の通信路は有線でも可であるが、本実施例ではＢｌｕｅｔｏｏｔｈ  などの無線を想定する。
【００５４】
さらに、フレーム部１０３とサイドフレーム部１０４を物理的に繋ぐヒンジには左右両方においてサイドフレーム部１０４の開閉を感知する開閉探知センサー１０７・１０８が、フレーム部１０３の下部のノーズパッドや両サイドフレーム部１０４の一部には接触を感知するセンサー１０９・１１０・１１１がそれぞれ取り付けられている。
【００５５】
図２は、眼鏡型ディスプレイ１０１のセンサー及び画面表示に関する状態遷移を示すものである。まず、眼鏡型ディスプレイ１０１が電源ＯＦＦ状態であり、電源投入することで、開閉探知センサー１０７・１０８を含めた必要最低限の機能部に給電がされている状態を状態Ａと呼ぶことにする。この状態Ａにおいては、レンズ部１０２の画面表示はＯＦＦ、センサー１０９・１１０・１１１についても機能停止状態にあるとする。そして、状態Ａにおいてサイドフレーム部１０４を左右に開くと開閉探知センサー１０７・１０８が反応し、これがトリガーとなりセンサー１０９・１１０・１１１が起動する。この状態を状態Ｂとする。さらに状態Ｂにおいてセンサー１０９・１１０・１１１のうち、規定個数以上に反応があった場合、次の状態Ｃに遷移する。状態Ｃにおいて初めて、レンズ部１０２の画面表示がＯＮとなり、映像やメニュー画面などが出力される。
【００５６】
このように画面表示がＯＮとなる状態Ｃまでの間に状態Ｂを設けることにより、鞄の中になどに眼鏡型ディスプレイ１０１を入れながら歩行したとしても、サイドフレーム部１０４を開いて、しかもセンサー１０９・１１０・１１１に反応がない限り画面がＯＮとなることはないので、誤動作による無駄な電力消費を防ぐことができる。
【００５７】
次に、状態Ｃにおいて一部のセンサーにおいて反応がなくなり、反応のあるセンサーが規定個数以下になった場合を考える。このときもすぐに状態Ｂに遷移はせず、状態Ｄになりタイマーが起動する。このタイマーが切れる前にセンサーの反応が回復すれば再び状態Ｃになり、タイマーは自動的に止められる。しかし、タイマーが切れてもセンサーの反応が回復しない場合は、状態Ｂに遷移して、レンズ部１０２の画面表示はＯＦＦとなる。
【００５８】
このように状態Ｄを用意することにより、歩行時などの振動で一時的にセンサーの反応が消えたりしても、すぐに画面が消えてしまう誤動作を防ぐことができる。また、画面がついたままの状態で放置してしまったとしても、一定時間が経てば状態Ｂに遷移して画面は消えるので無駄な電力消費を防ぐこともできる。
【００５９】
最後に状態Ａに戻す方法であるが、これは元がどのような状態にあっても本実施例ではサイドフレーム部１０４を閉じることにより実行されるものとする。このようにすることにより、使用者が意図したときに、すぐに画面を消し、センサー１０９・１１０・１１１を停止させることができる。
【００６０】
図３は、図１に描いた眼鏡型ディスプレイにおける内部の処理機能部のブロック図である。また、図４〜図１０は、眼鏡型ディスプレイにおける内部の処理フローを示す。
【００６１】
図３のブロック図にて内部の処理機能を構成する要素は、操作ボタン３０１、電源３０２、中央制御部３０３、外部入出力制御部３０４、音声映像入出力制御部３０５、レンズ部３０６、スピーカー部３０７、マイク部３０８、開閉探知センサー３０９・３１０、センサー３１１・３１２・３１３である。図１の図面において先述したように操作ボタン３０１、電源３０２、中央制御部３０３、外部入出力制御部３０４、スピーカー部３０７はサイドフレーム部１０４に内包されており、音声入出力制御部３０５はフレーム部１０３に内包されているものとする。また、レンズ部３０６と、マイク部３０８と、開閉探知センサー３０９・３１０と、センサー３１１・３１２・３１３は、図１においてそれぞれレンズ部１０２、マイク部１０５、開閉探知センサー１０７・１０８、センサー１０９・１１０・１１１と同一であるとする。
【００６２】
操作ボタン３０１は、使用者がサイドフレーム部１０４を直接操作して電源３０２のＯＮ／ＯＦＦを行う箇所である。
【００６３】
電源３０２は、使用者の操作ボタン３０１による直接操作に応じて眼鏡型ディスプレイ１０１に電源供給または供給停止を行い、また携帯電話用ユニット１０６を利用した間接操作に応じて供給停止を行う。
【００６４】
中央制御部３０３は、操作ボタン３０１から起動の制御信号を受け、電源３０２、音声映像入出力制御部３０５、開閉探知センサー３０９・３１０、センサー３１１・３１２・３１３に対し起動用または停止用の制御信号を送る。外部入出力制御部３０４とは起動・停止用及びその他の制御信号を送受信する。また、開閉検知センサー３０９・３１０及びセンサー３１１・３１２・３１３より所定の検出信号を受ける。さらに中央制御部３０３は時限式のタイマーを格納しており図２の状態Ｄのときに起動するものである。
【００６５】
外部入出力制御部３０４は、携帯電話用ユニット１０６と通信する送受信アンテナを有し、中央制御部３０３と制御信号を送受信する。また、音声映像入出力制御部３０５と音声映像データの交換を行い、送受信アンテナより外部と前記データの送受信を行う。
【００６６】
音声映像入出力制御部３０５は、中央制御部３０３から制御信号を受けて起動し、外部入出力制御部３０４と音声映像データの交換を行い、またレンズ部３０６、スピーカー部３０７、マイク部３０８にそれぞれ制御信号を送ることでレンズ部３０６による映像信号の受信、スピーカー部３０７による音声信号の受信、及びマイク部３０８による音声信号の送信を制御している。
【００６７】
レンズ部３０６は、音声入出力制御部３０５から制御信号を受信し、画面表示のＯＮ／ＯＦＦを行い、表示する映像の映像信号を音声入出力制御部３０５から受信する。
【００６８】
スピーカー部３０７は、音声入出力制御部３０５から制御信号を受信し、音声出力のＯＮ／ＯＦＦを行い、出力する音声の音声信号を音声入出力制御部３０５から受信する。
【００６９】
マイク部３０８は、音声入出力制御部３０５から制御信号を受信し、使用者による音声入力のＯＮ／ＯＦＦを行い、入力される音声の音声信号を音声入出力制御部３０５へ送信する。
【００７０】
開閉探知センサー３０９・３１０は、サイドフレーム部１０１の開閉に応じて所定の検出信号を中央制御部３０３に送るようにし、中央制御部３０３から起動用または停止用の制御信号を受ける。
【００７１】
センサー３１１・３１２・３１３は、中央制御部３０３から起動用または停止用の制御信号を受けて自身の機能をＯＮ／ＯＦＦし、使用者による眼鏡型ディスプレイ１０１の装着状況に応じて所定の検出信号を中央制御部３０３に送る。
【００７２】
次に図３に示した各構成要素の動作処理を図４〜図１０を用いて説明する。
【００７３】
図４は使用者が電源投入を行ってから開始探知センサー３０９・３１０が起動するまでの動作処理フローであり、図２にて電源ＯＦＦ状態から状態Ａに至るまでの過程を表したものである。
【００７４】
まず、使用者が操作ボタン３０１を操作することにより、電源３０２がＯＮとなり、電源供給が開始する。また中央制御部３０３を起動する制御信号が送られ、中央制御部３０３が機能を開始する。続いて中央制御部３０３の制御により、外部入出力制御部３０４、ヒンジに取り付けられている開閉探知センサー３０９・３１０も機能を開始する。
【００７５】
図５は使用者がサイドフレーム部１０４を開いてからセンサー３１１・３１２・３１３が起動するまでの動作処理フローであり、図２の状態Ａから状態Ｂに遷移する過程を表したものである。
【００７６】
使用者がサイドフレーム部１０４を開くことにより開閉探知センサー３０９・３１０が反応し、検出信号を中央制御部３０３に送る。中央制御部３０３はセンサー３１１・３１２・３１３に制御信号を送り、これらを起動させる。
【００７７】
図６は使用者が眼鏡型ディスプレイ１０１を装着してから音声映像入出力制御部３０５が起動し、画面表示もしくは音声入出力を有効にするまでの動作処理フローであり、図２の状態Ｂから状態Ｃに遷移する過程を表したものである。
【００７８】
使用者が眼鏡型ディスプレイ１０１を装着するなどして、センサー３１１・３１２・３１３の規定個数以上から検出信号が中央制御部３０３に送られた場合、中央制御部３０３は音声映像入出力制御部３０５に対して画面表示をＯＮにするよう指示をする制御信号を出す。この際、この制御信号に音声の入出力に関しても有効にするようにする指示の意味を含めても良い。
【００７９】
そして、これを受けた音声映像入出力制御部３０５はレンズ部３０６に対して画面表示をＯＮにする制御信号と共に映像やメニュー画面といった映像信号を送り、レンズ部３０６はそれらを表示する。また、音声の入出力に関する指示も中央制御部３０３からの制御信号に含まれていた場合は、スピーカー部３０７、マイク部３０８についても有効にさせる。
【００８０】
図７は振動発生により中央制御部のタイマーが起動し、再び停止するまでの動作処理フローであり、使用者が眼鏡ディスプレイ１０１を装着していて歩行などによる振動で一時的にセンサーが反応しなくなっても、画面表示もしくは音声入出力をすぐにＯＦＦにすることないようにする様子を示したものであり、図２の状態Ｃから一旦状態Ｄに遷移し、再び状態Ｃに遷移する過程を表したものである。
【００８１】
振動などが発生し、眼鏡の位置がずれて、使用者の顔面とセンサーとの接触が不良になったことにより、センサー３１１・３１２・３１３の一部などで反応がなくなり、中央制御部３０３においてセンサー３１１・３１２・３１３からの検出信号が規定個数以下になった場合、中央制御部３０３内にもつ任意時間のタイマーが起動する。このタイマーが満了するまでにセンサー３１１・３１２・３１３からの検出信号が回復し、規定個数以上のセンサー反応があれば、タイマーを停止して元の状態に戻る。
【００８２】
図８は使用者が眼鏡型ディスプレイ１０１を外してから音声映像入出力制御部３０５が停止するまでの動作処理フローであり、使用者が眼鏡を外して画面表示もしくは音声入出力をＯＦＦする様子を示したものであり、図２の状態Ｃから状態Ｄに遷移し、状態Ｂに遷移する過程を表したものである。
【００８３】
使用者が眼鏡型ディスプレイ１０１を完全に外してしまうなどして、反応が回復しなかった場合は、中央制御部３０３は音声映像入出力制御部３０５に対して画面表示をＯＦＦにするよう指示をする制御信号を出す。この際、この制御信号に音声の入出力に関しても停止するようにする指示の意味を含めても良い。そして、これを受けた音声映像入出力制御部３０５はレンズ部３０６に対して画面表示をＯＦＦにする制御信号を送り、レンズ部３０６は画面表示を消す。また、音声の入出力に関する指示も中央制御部３０３からの制御信号に含まれていた場合は、スピーカー部３０７、マイク部３０８についても無効にさせる。その後音声映像入出力制御部３０５は停止状態になる。
【００８４】
なお、図７での振動発生時の説明にてセンサー３１１・３１２・３１３からの検出信号が回復せず、タイマーが満了してしまった場合も、上記と同様の処理が行われ画面表示もしくは音声入出力がＯＦＦになる。
【００８５】
図９は使用者がサイドフレーム部１０４を閉じてからセンサー３１１・３１２・３１３が停止するまでの動作処理フローである。先述したように使用者が意図的に画面を消し、センサー３１１・３１２・３１３を停止させるにはサイドフレーム部１０４を閉じればよいのだが、このことは図２において状態Ｂ、Ｃ、Ｄ各々から状態Ａに遷移する過程を指す。
【００８６】
使用者がサイドフレーム部１０４を閉じることにより開閉探知センサー３０９・３１０からの検出信号がなくなると、中央制御部３０３はセンサー３１１・３１２・３１３に制御信号を送り、これらも停止させる。
【００８７】
図１０は使用者が電源をＯＦＦにすることで電源供給が停止されることの動作処理フローであり、図２の状態Ａから電源ＯＦＦ状態に至るまでの過程を表したものである。
【００８８】
中央制御部３０３を停止させるには操作ボタン３０１を操作し、中央制御部３０３に停止制御を行う。中央制御部３０３は開閉探知センサー３０９・３１０に停止用の制御信号を送り、開閉探知センサー３０９・３１０を停止させる。続いて外部入出力制御部３０４に停止用の制御信号を送り、外部入出力制御部３０４を停止させる。以下、中央制御部３０３自身が停止し、電源３０２をＯＦＦにすることにより電源供給停止が実現される。
【００８９】
（第２の実施例）
第１の実施例では電源３０２のＯＦＦ操作を使用者が直接的に操作ボタン３０１より制御したが、本実施例は携帯電話用ユニット１０６から所定の操作を行い、間接的に電源をＯＦＦにするものであり、図２の状態Ａから電源ＯＦＦ状態に至るまでの過程を表す。
【００９０】
具体的には図１１において外部入出力制御部３０４が送受信アンテナより電源ＯＦＦの制御信号を受け、中央制御部３０３に停止用の制御信号を送る。中央制御部３０３は開閉探知センサー３０９・３１０に停止用の制御信号を送り、開閉探知センサー３０９・３１０を停止させる。続いて外部入出力制御部３０４に停止用の制御信号を送り、外部入出力制御部３０４を停止させる。続いて中央制御部３０３は電源３０２へ停止用の制御信号を送り、中央制御部３０３自身は停止し、電源３０２も機能停止することで電源供給停止が実現される。
【００９１】
（第３の実施例）
第１の実施例は規定数以上のセンサーに反応があることを条件として画面表示をＯＮするものであるが、本実施例は携帯電話を利用しており、外部からの着信を条件に画面表示をＯＮにするものである。つまり着信があった場合、使用者は眼鏡型ディスプレイをかけると同時に画面がＯＮになると共にその着信を受け、通話するものである。この場合眼鏡型ディスプレイの装着が不完全なため規定数以上のセンサーが反応することがなくても、画面表示をＯＮにする。
【００９２】
具体的には図１２において、使用者が着信により眼鏡型ディスプレイ１０１を装着すると、外部入出力制御部３０４から中央制御部３０３に制御信号を送信し、中央制御部３０３は音声映像入出力制御部３０５に対して画面表示をＯＮにするよう指示をする制御信号を出す。また、この制御信号に音声の入出力に関しても有効にする制御信号も出す。
【００９３】
そして、これを受けた音声映像入出力制御部３０５はレンズ部３０６に対して画面表示をＯＮにする制御信号と共に映像やメニュー画面といった映像信号を送り、レンズ部３０６はそれらを表示する。また、音声の入出力に関する指示も中央制御部３０３からの制御信号に含まれているので、スピーカー部３０７、マイク部３０８についても有効にさせることで通話を開始する。
【００９４】
また、本実施例は眼鏡型ディスプレイ１０１を外してフレームをたたむと同時に画面表示をＯＦＦにして終話する。この場合第１の実施例のように中央制御部３０３内にあるタイマーの起動及び規定数以上のセンサーの反応無しの状態に関係なく、画面表示をＯＦＦにして終話するものである。
【００９５】
具体的には図１３において、使用者がフレームをたたんで終話すると、外部入出力制御部３０４から中央制御部３０３に制御信号を送信し、中央制御部３０３は音声映像入出力制御部３０５に対して画面表示をＯＦＦにするよう指示をする制御信号を出す。また、この制御信号に音声の入出力に関しても停止するようにする制御信号も出す。そして、これを受けた音声映像入出力制御部３０５はレンズ部３０６に対して画面表示をＯＦＦにする制御信号を送り、レンズ部３０６は画面表示を消す。また、音声の入出力に関する指示も中央制御部３０３からの制御信号に含まれているので、スピーカー部３０７、マイク部３０８についても無効にさせる。その後音声映像入出力制御部３０５は停止状態になる。
【００９６】
（第４の実施例）
本実施例はさらに、音声電話、テレビ電話の着信、電子メールやショートメールの受信を条件にして、画面表示をＯＮにするものである。また、電子メールやショートメールの受信の場合、自動的にその内容を画面に表示させることもできる。この場合眼鏡型ディスプレイの装着が不完全なため規定数以上のセンサーが反応することがなくても、画面表示をＯＮにする。なお、音声電話及びテレビ電話の着信の動作処理は第３の実施例におけるものと同様なので、図１４において電子メールやショートメールの内容を画面に表示させる具体的な動作処理を説明する。
【００９７】
電子メールやショートメールを外部より受信すると、外部入出力制御部３０４から中央制御部３０３に制御信号を送信し、中央制御部３０３は音声映像入出力制御部３０５に対して画面表示をＯＮにするよう指示をする制御信号を出す。また、メールの内容に音声データが存在していればこの制御信号に音声の入出力に関しても有効にする制御信号も出す。
【００９８】
そして、これを受けた音声映像入出力制御部３０５はレンズ部３０６に対して画面表示をＯＮにする制御信号と共に映像やメニュー画面といった映像信号を送り、レンズ部３０６はメールの内容を表示する。また、メールの内容に音声データが存在していれば音声の入出力に関する指示も中央制御部３０３からの制御信号を送り、スピーカー部３０７についても有効にさせて音声を再生する。
【００９９】
（第５の実施例）
本実施例は加えて、携帯電話システムの基地局のカバーエリア圏内に入ることを条件にして、自動的に画面表示をＯＮするものである。この場合眼鏡型ディスプレイの装着が不完全なため規定数以上のセンサーが反応することがなくても、画面表示をＯＮにする。
【０１００】
具体的には図１５において、使用者が上記圏内に入り、外部入出力制御部３０４が基地局から所定の電波を受信すると、外部入出力制御部３０４から中央制御部３０３に制御信号を送信し、中央制御部３０３は音声映像入出力制御部３０５に対して画面表示をＯＮにするよう指示をする制御信号を出す。また、この制御信号に音声の入出力に関しても有効にするようにする制御信号も出す。
【０１０１】
そして、これを受けた音声映像入出力制御部３０５はレンズ部３０６に対して画面表示をＯＮにする制御信号と共に映像やメニュー画面といった映像信号を送り、レンズ部３０６はそれらを表示する。また、音声の入出力に関する指示も中央制御部３０３からの制御信号に含まれている場合は、スピーカー部３０７、マイク部３０８についても有効にさせる。
【０１０２】
さらに、本発明の制限方法は上記の実施例に限定されるものではなく、以下のようなシステムにおいても適用でき、第６から第９の実施例にてその説明をする。
【０１０３】
（第６の実施例）
第１の実施例では携帯電話用ユニット１０６を利用した携帯電話システムの説明をしたが、本実施例は携帯電話の代わりにパーソナルコンピュータ、ＰＤＡ、オーディオ・ビジュアル機器、Ｉｎｔｅｒｎｅｔ、無線ＬＡＮ、放送などに接続し、それらからの情報を眼鏡型ディスプレイ１０１に表示するシステムに関するものである。このときの眼鏡型ディスプレイ１０１の内部処理機能部の構成は図３と同様であるので、画面表示をＯＮにする条件は第１の実施例に示したものと同様で済む。また外部との接続に関して有線であるか無線であるかは問わない。
【０１０４】
またこのシステムにおいて、上記の音楽・映像機器や情報端末から所定の信号を受信すると、眼鏡型ディスプレイ１０１の画面表示のＯＮ／ＯＦＦ処理を可能にする。この場合眼鏡型ディスプレイの装着が不完全なため規定数以上のセンサーが反応することがなくても、画面表示をＯＮにする。また、タイマーの起動及び規定数以上のセンサーの反応無しの状態に関係なく、画面表示をＯＦＦにする。
【０１０５】
具体的には図１６において、例えばＣＤやＤＶＤの再生、Ｉｎｔｅｒｎｅｔへの接続開始といった動作を行うと、外部入出力制御部３０４が前記動作に対応する信号を受信し、外部入出力制御部３０４から中央制御部３０３に制御信号を送信し、中央制御部３０３は音声映像入出力制御部３０５に対して画面表示をＯＮにするよう指示をする制御信号を出す。また、この制御信号に音声の入出力に関しても有効にするようにする制御信号も出しても良い。
【０１０６】
そして、これを受けた音声映像入出力制御部３０５はレンズ部３０６に対して画面表示をＯＮにする制御信号と共に映像やメニュー画面といった映像信号を送り、レンズ部３０６はそれらを表示する。また、音声の入出力に関する指示も中央制御部３０３からの制御信号に含まれているとき、スピーカー部３０７、マイク部３０８についても有効にさせる。
【０１０７】
また図１７において、例えばＣＤやＤＶＤの再生終了、Ｉｎｔｅｒｎｅｔへの接続終了といった動作を行うと、外部入出力制御部３０４が前記動作に対応する信号を受信し、外部入出力制御部３０４から中央制御部３０３に制御信号を送信し、中央制御部３０３は音声映像入出力制御部３０５に対して画面表示をＯＦＦにするよう指示をする制御信号を出す。また、この制御信号に音声の入出力に関しても停止するようにする制御信号を出しても良い。そして、これを受けた音声映像入出力制御部３０５はレンズ部３０６に対して画面表示をＯＦＦにする制御信号を送り、レンズ部３０６は画面表示を消す。また、音声の入出力に関する指示も中央制御部３０３からの制御信号に含まれているとき、スピーカー部３０７、マイク部３０８についても無効にさせる。その後音声映像入出力制御部３０５は停止状態になる。
【０１０８】
（第７の実施例）
本実施例は外部に特別な機器を用意せずとも、眼鏡型ディスプレイ自体に外部からの情報を直接受信する機能を内包するシステム（例えば、ＴＶチューナー、ＬＡＮアダプタ＆Ｉｎｔｅｒｎｅｔブラウザ、携帯電話通信機能、メモリカード読み取り機能＆ＭＰＥＧデコーダーなど）に関するものである。このときの眼鏡型ディスプレイ１０１の内部処理機能部の構成も図３と同様であるので、画面表示をＯＮにする条件は第１または第６の実施例に示したものと同様で済む。
【０１０９】
（第８の実施例）
第１の実施例ではレンズ部１０２の左右両方に画面を表示する場合を想定して説明していたが、本実施例ではレンズ部の画面表示を片目分だけ行うことが可能な眼鏡型ディスプレイシステムに関するものである。
【０１１０】
具体的には図６において、中央制御部３０３から音声映像入出力制御部３０５へ片目分だけ表示するような制御信号を送り、音声映像入出力制御部３０５は所定の映像信号と片目分だけ表示する制御信号をレンズ部３０６に送信し、レンズ部３０６が片目分だけ画面表示することで上記システムが実現される。
【０１１１】
（第９の実施例）
第１の実施例では眼鏡型ディスプレイ１０１に取り付けられるセンサー３１１・３１２・３１３はレンズ部３０６の下部のノーズパッドに１ヶ所、両サイドフレームにそれぞれ１箇所ずつの合計３ヶ所に取り付けられている場合を想定して説明したが、本実施例はセンサーの個数が異なる眼鏡型ディスプレイシステムに関するものである。つまり、画面表示をＯＮするにあたり規定個数以上のセンサーの反応を確認することを条件としたが、その規定個数の設定をより詳細におこなえるようにセンサーの数を増やしたり、逆に装置構成を簡易にし、消費電力を低減するためにセンサーの数を減らした眼鏡型ディスプレイも実現可能である。そのためには空間的に設置が可能な限り、使用者の顔や頭部に接触する箇所に所望の個数分だけセンサーを取り付ければよい。
【０１１２】
また、以下に述べる機能を加えた眼鏡型ディスプレイに関する第１０〜第１３の実施例を説明する。
【０１１３】
（第１０の実施例）
本実施例は音声認識を使って、言葉により画面表示をＯＮ／ＯＦＦするものである。この場合眼鏡型ディスプレイの装着が不完全なため規定数以上のセンサーが反応することがなくても、画面表示をＯＮにする。また、タイマーの起動及び規定数以上のセンサーの反応無しの状態に関係なく、画面表示をＯＦＦにする。
【０１１４】
図１８において画面表示をＯＮにする場合、使用者が移動携帯端末１０６を使用して画面表示をＯＮにする言葉を喋ると、外部入出力制御部３０４が対応する信号を受信し、外部入出力制御部３０４から中央制御部３０３に制御信号を送信し、中央制御部３０３は音声映像入出力制御部３０５に対して画面表示をＯＮにするよう指示をする制御信号を出す。また、この制御信号に音声の入出力に関しても有効にするようにする制御信号も出しても良い。
【０１１５】
そして、これを受けた音声映像入出力制御部３０５はレンズ部３０６に対して画面表示をＯＮにする制御信号と共に映像やメニュー画面といった映像信号を送り、レンズ部３０６はそれらを表示する。また、音声の入出力に関する指示も中央制御部３０３からの制御信号に含まれているとき、スピーカー部３０７、マイク部３０８についても有効にさせる。
【０１１６】
なお使用者が画面表示をＯＮにする言葉を喋るとき、使用途中の段階でマイク部３０８はＯＮであるが、画面表示をＯＦＦにしてある状態で、再度画面表示をＯＮにするときは、マイク部３０８からその言葉を入力できる。しかし電源投入直後ではマイク部３０８はまだ音声入力がＯＮになっていないので、マイク部に言葉を入力して画面表示をすることはできない。このときには電源投入時に起動する専用のマイクを眼鏡型ディスプレイに備えてそこから喋ればよい。
【０１１７】
また図１９において画面表示をＯＦＦにする場合、使用者が移動携帯端末１０６を使用して画面表示をＯＦＦにする言葉を喋ると、外部入出力制御部３０４が対応する信号を受信し、外部入出力制御部３０４から中央制御部３０３に制御信号を送信し、中央制御部３０３は音声映像入出力制御部３０５に対して画面表示をＯＦＦにするよう指示をする制御信号を出す。また、この制御信号に音声の入出力に関しても停止するようにする制御信号を出しても良い。そして、これを受けた音声映像入出力制御部３０５はレンズ部３０６に対して画面表示をＯＦＦにする制御信号を送り、レンズ部３０６は画面表示を消す。また、音声の入出力に関する指示も中央制御部３０３からの制御信号に含まれているとき、スピーカー部３０７、マイク部３０８についても無効にさせる。その後音声映像入出力制御部３０５は停止状態になる。
【０１１８】
なお使用者が画面表示をＯＦＦにする言葉を喋るとき、使用途中の段階でマイク部３０８はＯＦＦであり、画面表示もＯＮにしてある状態で、画面表示をＯＦＦにするときは、マイク部３０８からその言葉を入力できない。このときには先述した電源投入時に起動する専用のマイクを眼鏡型ディスプレイに備えてそこから喋ればよい。
【０１１９】
（第１１の実施例）
本実施例は予めタイマーをセットし、時間が来ると画面をＯＮさせることもできるものである。タイマーとしては中央制御部３０３内にあるもので十分である。この場合眼鏡型ディスプレイの装着が不完全なため規定数以上のセンサーが反応することがなくても、画面表示をＯＮにする。
【０１２０】
図２０において、時間が来たら中央制御部３０３は音声映像入出力制御部３０５に対して画面表示をＯＮにするよう指示をする制御信号を出す。この際、この制御信号に音声の入出力に関しても有効にするようにする指示の意味を含めても良い。そして、これを受けた音声映像入出力制御部３０５はレンズ部３０６に対して画面表示をＯＮにする制御信号と共に映像やメニュー画面といった映像信号を送り、レンズ部３０６はそれらを表示する。また、音声の入出力に関する指示も中央制御部３０３からの制御信号に含まれていた場合は、スピーカー部３０７、マイク部３０８についても有効にさせる。
【０１２１】
ＴＶチューナー機能があればさらに、ＴＶ放送を受信し画面上に表示させることもできる。その場合は、第７の実施例で説明したシステムを利用すると良い。
【０１２２】
（第１２の実施例）
本実施例は使用者側で何も操作が行われず一定時間が経過したら眼鏡型ディスプレイ１０１を装着していても自動的に画面表示をＯＦＦすることに関するものである。長時間画面を見ていることは目に大きな負担になるし、それに長時間何も操作が無いというのは使用者が居眠りなどをして画面を消すことができない状況にある可能性が高い。このことは本発明の目的でもある消費電力の低減には都合が悪い。そこで予めタイマーをセットし、時間がくると画面をＯＦＦさせるようにする。この場合規定数以上のセンサーの反応無しの状態に関係なく、画面表示をＯＦＦにする。なおタイマーとしては中央制御部３０３にあるもので十分である。
【０１２３】
図２１において、中央制御部３０３は音声映像入出力制御部３０５に対して画面表示をＯＦＦにするよう指示をする制御信号を出す。この際、この制御信号に音声の入出力に関しても停止するようにする指示の意味を含めても良い。そして、これを受けた音声映像入出力制御部３０５はレンズ部３０６に対して画面表示をＯＦＦにする制御信号を送り、レンズ部３０６は画面表示を消す。また、音声の入出力に関する指示も中央制御部３０３からの制御信号に含まれていた場合は、スピーカー部３０７、マイク部３０８についても無効にさせる。その後音声映像入出力制御部３０５は停止状態になる。
【０１２４】
【発明の効果】
以上説明したように、本発明によれば、使用中に画面が消えるといった誤動作を防止しつつ、眼鏡型ディスプレイ利用者の操作の手間を減らすことができる。また、眼鏡型ディスプレイを外した時などは、自動的に画面表示がＯＦＦになるので、無駄な電力消費を低減することもできる。
【０１２５】
請求項１に係る発明では、眼鏡の装着という行為だけで画面表示をＯＮにすることを可能にし、眼鏡の装着時のみ画面表示をＯＮにすることで消費電力を低減することを可能にする。
【０１２６】
請求項２に係る発明では、眼鏡装着の一時的な位置ずれによりすぐに画面表示をＯＦＦにするような誤動作を防ぐことを可能にする。
【０１２７】
請求項３に係る発明では、使用者が眼鏡を意図的に外したと判断することを可能にする。
【０１２８】
請求項４に係る発明では、使用者が意図的に画面表示をＯＦＦにすることを可能にする。
【０１２９】
請求項５に係る発明では、使用者が意図的に画面表示をＯＦＦにすることを可能にする。
【０１３０】
請求項６に係る発明では、使用者が意図的に画面表示をＯＦＦにすることを可能にする。
【０１３１】
請求項７に係る発明では、画面表示をどのタイミングでもＯＮにすることを可能にする。
【０１３２】
請求項８に係る発明では、画面表示をどのタイミングでもＯＦＦにすることを可能にし、また長時間使用による使用者への疲労負担を軽減することを可能にする。
【０１３３】
請求項９に係る発明では、移動携帯端末を利用した眼鏡型ディスプレイに関し、使用者に余計な手間をかけることなく着信に迅速に対応し、画面表示をＯＮにすることを可能にする。
【０１３４】
請求項１０に係る発明では、移動携帯端末を利用した眼鏡型ディスプレイに関し、使用者が眼鏡フレームをたたむことで意図的に通話を終了し、画面表示をＯＦＦにすることを可能にする。
【０１３５】
請求項１１に係る発明では、移動携帯端末を利用した眼鏡型ディスプレイに関し、使用者に余計な手間をかけることなく画面表示をＯＮにすることを可能にする。
【０１３６】
請求項１２に係る発明では、移動携帯端末を利用した眼鏡型ディスプレイに関し、使用者に余計な手間をかけることなく画面表示をＯＮにすることを可能にする。
【０１３７】
請求項１３に係る発明では、移動携帯端末を利用した眼鏡型ディスプレイに関し、使用者に余計な手間をかけることなく画面表示をＯＮにすることを可能にする。
【０１３８】
請求項１４に係る発明では、移動携帯端末を利用した眼鏡型ディスプレイに関し、使用者に余計な手間をかけることなく画面表示をＯＦＦにすることを可能にする。
【０１３９】
請求項１５に係る発明では、外部からの情報を直接受信する情報端末を利用した眼鏡型ディスプレイに関し、使用者に余計な手間をかけることなく画面表示をＯＮにすることを可能にする。
【０１４０】
請求項１６に係る発明では、外部からの情報を直接受信する情報端末を利用した眼鏡型ディスプレイに関し、使用者に余計な手間をかけることなく画面表示をＯＦＦにすることを可能にする。
【０１４１】
請求項１７に係る発明では、外部からの情報を直接受信する音楽・映像機器を利用した眼鏡型ディスプレイに関し、使用者に余計な手間をかけることなく画面表示をＯＮにすることを可能にする。
【０１４２】
請求項１８に係る発明では、外部からの情報を直接受信する音楽・映像機器を利用した眼鏡型ディスプレイに関し、使用者に余計な手間をかけることなく画面表示をＯＦＦにすることを可能にする。
【０１４３】
請求項１９に係る発明では、眼鏡型ディスプレイを利用した、より簡易な移動携帯端末システム、情報端末システム及び音楽・映像機器システムを構成することを可能にする。
【図面の簡単な説明】
【図１】眼鏡型ディスプレイ１０１、携帯電話用ユニット１０６の外観図である。
【図２】眼鏡型ディスプレイ１０１のセンサー１０９〜１１１及び画面表示に関する状態遷移図である。
【図３】眼鏡型ディスプレイ１０１内部の処理機能部のブロック図である。
【図４】第１の実施例に関する内部処理フローである。
【図５】第１の実施例に関する内部処理フローである。
【図６】第１の実施例に関する内部処理フローである。
【図７】第１の実施例に関する内部処理フローである。
【図８】第１の実施例に関する内部処理フローである。
【図９】第１の実施例に関する内部処理フローである。
【図１０】第１の実施例に関する内部処理フローである。
【図１１】第２の実施例に関する内部処理フローである。
【図１２】第３の実施例に関する内部処理フローである。
【図１３】第３の実施例に関する内部処理フローである。
【図１４】第４の実施例に関する内部処理フローである。
【図１５】第５の実施例に関する内部処理フローである。
【図１６】第６の実施例に関する内部処理フローである。
【図１７】第６の実施例に関する内部処理フローである。
【図１８】第１０の実施例に関する内部処理フローである。
【図１９】第１０の実施例に関する内部処理フローである。
【図２０】第１１の実施例に関する内部処理フローである。
【図２１】第１２の実施例に関する内部処理フローである。
【符号の説明】
１０１  眼鏡型ディスプレイ
１０２、３０６  レンズ部
１０３  フレーム部
１０４  サイドフレーム部
１０５、３０８  マイク部
１０６  携帯電話用ユニット
１０７、１０８、３０９、３１０  開閉探知センサー
１０９〜１１１、３１１〜３１３  センサー
３０１  操作ボタン
３０２  電源
３０３  中央制御部
３０４  外部入出力制御部
３０５  音声映像入出力制御部
３０７  スピーカー部
【図１】
2004180162.tif 000003
【図２】
2004180162.tif 000004
【図３】
2004180162.tif 000005
【図４】
2004180162.tif 000006
【図５】
2004180162.tif 000007
【図６】
2004180162.tif 000008
【図７】
2004180162.tif 000009
【図８】
2004180162.tif 000010
【図９】
2004180162.tif 000011
【図１０】
2004180162.tif 000012
【図１１】
2004180162.tif 000013
【図１２】
2004180162.tif 000014
【図１３】
2004180162.tif 000015
【図１４】
2004180162.tif 000016
【図１５】
2004180162.tif 000017
【図１６】
2004180162.tif 000018
【図１７】
2004180162.tif 000019
【図１８】
2004180162.tif 000020
【図１９】
2004180162.tif 000021
【図２０】
2004180162.tif 000022
【図２１】
2004180162.tif 000023